(57)【特許請求の範囲】
【請求項１】
複数の接続座を一方向へ等間隔に列設してなる端子筺体の、その接続座に、導電足杆を備えた端子金具を夫々装着し、該端子筺体の背面下縁の全体もしくは部分的に上下方向の係合溝と係合突起とを、該接続座に装着される各端子金具の背面に対応する位置と、各端子金具の背面の中間に対応する位置の、いずれか一方に係合溝が位置し、他方に係合突起が位置するように、その長手方向に沿って互い違い状に連設するようにしてなる本体側連結係合縁を備えた複数個の端子台と、
下段に配置される端子台の高さ寸法と略等しく、かつ上段に配置される端子台の前後の幅寸法と略等しくし、その上面を上段に配置される端子台が乗載可能とし、さらに、前面下縁に、前記本体側連結係合縁の係合溝と係合突起とに選択的に係合可能な係合溝と係合突起とからなる下部係合縁を設ける一方、背面上縁に、前記本体側連結係合縁の係合溝に係合可能な係合突起もしくは前記本体側連結係合縁の係合突起に係合可能な係合溝を備えた係合突起からなる上部係合縁を上方突成してなる連結部材とを備え、
該連結部材の下部係合縁を下段に配置される端子台を構成する端子筺体の本体側連結係合縁に係合し、かつ、該連結部材の上部に、上段に配置される端子台の端子筺体を乗載して、その端子筺体の本体側連結係合縁に前記連結部材の上部係合縁を係合することにより、複数の端子台を前後及び上下に位置をずらして複数段に亘って連結すると共に、該連結部材の下部係合縁の係合溝を、下段の端子筺体の本体側連結係合縁の係合突起に係合するか、もしくは連結部材の下部係合縁の係合突起を前記本体側連結係合縁の係合溝に係合することにより、連結状態において上下の端子台の各端子金具が、前後方向で一致する状態と、前後方向で互い違い状になる状態とを選択できるようにしたことを特徴とする多段端子台。
【請求項２】
前記各端子台を構成する端子筺体の側断面形状を同一形状としたことを特徴とする請求項１に記載した多段端子台。
【発明の詳細な説明】
【０００１】
【発明の属する技術分野】
本発明は、電線の結線処理に用いられる多段端子台に関する。
【０００２】
【従来の技術】
各種電子部品のリード線相互を接続したり、または、プリント基板の所要導電路と電線とを電気的に接続するための端子金具を備えた端子台にあって、複数の端子金具を一方向に列設した単一段の端子台や、一方向に列設した複数の端子金具を上下位置に複数列段設した多段端子台は種々提案されている。
【０００３】
【発明が解決しようとする課題】
ところで、従来の単一段の端子台及び多段端子台は、端子金具を所定位置に装着するための複数の接続座が列設された端子筺体を、単一段の端子台用の端子筺体及び多段端子台用の端子筺体として、個々に所定形状で一体成形している。このため、夫々の成形用金型を個別に製作しなければならないという問題点があった。また、多段端子台用の端子筺体は、一方向に列設される複数の接続座を前後及び上下に位置をずらして多段状に配設する複雑な構造であるため、その成形用金型の製作が困難で手間がかかり、コストが高いという問題点があった。
【０００４】
本発明は、かかる従来の問題点を解消し得る端子台及び多段端子台の提供を目的とするものである。
【０００５】
【課題を解決するための手段】
本発明は、複数の接続座を一方向に列設してなる端子筺体の、その接続座に、導電足杆を備えた端子金具を夫々装着し、該端子筺体の背面下縁に連結部材を介して他の端子筺体との連結を可能とする連結係合縁を設けたことを特徴とする端子台を用いている。
【０００６】
また、本発明は、複数の接続座を一方向に列設してなる端子筺体の、その接続座に、導電足杆を備えた端子金具を夫々装着し、該端子筺体の背面下縁に上下方向の係合溝もしくは係合突起からなる本体側連結係合縁を設けてなる複数個の端子台と、
下段に配置される端子台の高さ寸法と略等しく、かつ、上段に配置される端子台の前後の幅寸法と略等しく、その上面に上段に配置される端子台を乗載可能に形成され、さらに、前面下縁に、前記本体側連結係合縁の係合溝に係合可能な係合突起を形成するか、もしくは本体側連結係合縁の係合突起に係合可能な係合溝を形成することにより下部係合縁を設ける一方、背面上縁に、前記本体側連結係合縁の係合溝に係合可能な係合突起を上方突成するか、もしくは前記本体側連結係合縁の係合突起に係合可能な係合溝を備えた係合突起を上方突成することにより上部係合縁を設けてなる連結部材とを備え、
該連結部材の下部係合縁を下段に配置される端子台を構成する端子筺体の本体側連結係合縁に係合し、かつ、該連結部材の上部に、上段に配置される端子台の端子筺体を乗載するとともに、該上段の端子筺体の本体側連結係合縁に前記連結部材の上部係合縁を係合することにより、複数の端子台を前後及び上下に位置をずらして複数段に亘って連結するようにしたことを特徴とする多段端子台である。
【０００７】
本発明は、前記多段端子台の構成にあって、端子筺体の背面下縁の全体もしくは部分的に上下方向の係合溝と係合突起とをその長手方向に沿って互い違い状に連設することにより本体側連結係合縁を設け、
該端子筺体に列設される端子金具の接続座を等間隔に配置して、該接続座に装着される各端子金具の背面に対応する位置と、各端子金具の背面の中間に対応する位置の、いずれか一方に前記本体側連結係合縁の係合溝を配置し、他方に前記本体側連結係合縁の係合突起を配置し、
連結部材の前面下縁に、前記本体側連結係合縁の係合溝と係合突起とに選択的に係合可能な係合溝と係合突起とからなる下部係合縁を形成して、
該連結部材の下部係合縁の係合溝を前記本体側連結係合縁の係合突起に係合するか、もしくは連結部材の下部係合縁の係合突起を本体側連結係合縁の係合溝に係合することにより、連結状態において上下の端子台の各端子金具が、前後方向で一致する状態と、前後方向で互い違い状になる状態とを選択できるようにしている。
【０００８】
さらに、前記多段端子台の構成にあって、前記各端子台を構成する端子筺体の側断面形状を同一形状としてもよい。
【０００９】
また、本発明は、電線が接続される複数の端子金具を一方向に配設してなる複数の端子台を、連結部材を介して前後及び上下に位置をずらして複数段に亘って連結するようにしたことを特徴とする多段端子台である。
【００１０】
かかる構成にあって、単一段の端子台として使用し得る端子台を、連結部材を介して前後及び上下に位置をずらして複数段に亘って連結することによって多段端子台を構成し得るので、多段端子台用の端子筺体を一体成形するための複雑な構造の金型を製作する必要がなく、これにより、製造コストを低減し得る。
【００１１】
また、各端子台を構成する端子筺体の側断面形状を同一形状とすることにより、長尺に成形した端子筺体を所定の長さに切断して複数の端子筺体として用いることができるので、一種類の成形用金型を製作すればよく、しかも該金型は、複数の接続座を一方向に列設してなる端子筺体を成形するための簡単な構造の金型でよいため、その製造コストをさらに低減させ得る。
【００１２】
さらに、各端子筺体に設けた本体側連結係合縁と、連結部材に設けた上部係合縁及び下部係合縁との係合によって複数の端子台を連結し得るので、その連結を容易かつ迅速に行なうことができる。
【００１３】
【発明の実施の形態】
以下に、本発明をプリント基板用の端子台に適用した場合の一実施例を、図１〜図５について説明する。
【００１４】
図面において１は端子台を示す。２は該端子台１を構成する絶縁材料からなる端子筺体であって、該端子筺体２には、端子金具３が夫々装着される複数の接続座４が一方向に等間隔で列設されている。各接続座４は、隔壁５により区画された上下方向の収納孔６と、該収納孔６の前面に開口された電線挿通孔７とを備え、収納孔６の下部を端子金具３の嵌合部８としている。また、前記端子金具３は、締付け螺子９が螺着される平板状結線片１０と、該平板状結線片１０の対向する二側縁から下方延成された二股状の導電足杆１１，１１とにより構成されている。
【００１５】
そして該端子金具３を、各収納孔６にその上方から夫々嵌挿して導電足杆１１，１１の基部を嵌合部８に強制嵌合することにより、締付け螺子９を螺着した平板状結線片１０を前記電線挿通孔７に臨む位置に保持し、かつ、導電足杆１１，１１の下端を端子筺体２の底面から突出させた状態で、端子金具３を接続座４に装着するようにしている。
【００１６】
前記端子筺体２の背面下縁には、後述の連結部材１３を介して他の端子筺体２との連結を可能とする連結係合縁１４が設けられている。該連結係合縁１４は、端子筺体２の背面下縁の全体もしくは部分的に上下方向の係合溝１５と係合突起１６とをその長手方向に沿って互い違い状に連設することにより設けられる。
【００１７】
ここで、前記連結係合縁１４を構成する各係合溝１５及び係合突起１６は、図５（イ）に示すような断面略鳩尾形や、図５（ロ）に示すような断面略Ｔ字形等に形成可能であるが、図５（イ）に示すような断面略鳩尾形に形成すると、係合強度を低下させることなく、その形成に必要な前後方向の厚み寸法ｓを薄くし得る利点がある。さらに、図３に示すように、各係合溝１５はその下部側が広いテーパ状に形成され、また、各係合突起１６はその下部側が狭いテーパ状に形成されている。これにより、該係合溝１５及び係合突起１６に対する連結部材１３の下方からの係合操作が容易となるようにしている。
【００１８】
また、図５（イ）に示すように、各係合溝１５と、係合突起１６は、そのいずれか一方が一方向に列設された各接続座４の背面に対応する位置に夫々配置され、他方が各接続座４の背面の中間に対応する位置に夫々配置される。即ち、各接続座４には端子金具３が装着されるので、各端子金具３の背面に対応する位置と、各端子金具３の背面の中間に対応する位置の、いずれか一方に前記連結係合縁１４の係合溝１５が配置され、他方に連結係合縁１４の係合突起１６が配置されることとなる。
【００１９】
また、かかる構成を備えた端子筺体２は、硬質合成樹脂を素材に用いて成形用金型により長尺な長さで一体成形され、これを所定の長さに切断することによって、複数の端子筺体２として用いるようにしている。
【００２０】
そして、このように所定の長さに切断された端子筺体２の、その複数の接続座４に、上記のように端子金具３を夫々装着することにより、単一段の端子台１が構成されている。
【００２１】
また、該端子台１は、端子筺体２の底面から突出された導電足杆１１，１１の下端をピン端子１１ｂ，１１ｂとし、このピン端子１１ｂ，１１ｂを、図２に示すように、プリント基板ｐのスルホールに挿入して導電路との電気的接続を可能としている。
【００２２】
次に、上記端子台１を連結して多段端子台を構成する場合の一実施例を、図６〜図１２について説明する。
【００２３】
１３は、二個の端子台１を前後及び上下に位置をずらして連結するために用いられる連結部材であって、該連結部材１３を構成する主体枠１７は、下段に配置される端子台１の高さ寸法と略等しく、かつ、上段に配置される端子台１の前後の幅寸法と略等しく、その上面に、上段に配置される端子台１を乗載可能な断面矩形の筺体状に形成されている。また、該主体枠１７の内部にはその下部近傍位置に底板１８が横設され、該底板１８には後述する端子金具３’の導電足杆１１’，１１’を挿通させるための挿通孔１９，１９が形成されている。
【００２４】
さらに、この主体枠１７の前面下縁には、前記端子台１の端子筺体２に設けられた連結係合縁１４の係合溝１５に係合可能な係合突起２０と、該連結係合縁１４の係合突起１６に係合可能な係合溝２１とを形成することにより下部係合縁２２が設けられている。ここで、該下部係合縁２２の係合溝２１は、係合突起２０を左右に二等分する位置に形成されており、このため該係合突起２０は左右に二分割された形状となっている。また、該係合突起２０はその上部側が狭いテーパ状に形成され、前記係合溝２１は上部側が広いテーパ状に形成されている。これにより、上下方向で逆向きのテーパ状に形成された前記連結係合縁１４の係合溝１５及び係合突起１６に対する係合突起２０及び係合溝２１の下方からの係合操作を容易とし、かつ、相互噛合作用によって強固に嵌合し得るようになっている。
【００２５】
また、主体枠１７の背面上縁には、前記端子台１の連結係合縁１４の係合溝１５に係合可能な係合突起２３を上方突成することにより上部係合縁２４が設けられている。該係合突起２３もその上部側が狭いテーパ状に形成されており、これによって、上下方向で逆向きのテーパ状に形成された前記連結係合縁１４の係合溝１５に対する係合突起２３の下方からの係合操作を容易とし、かつ、相互噛合作用によって強固に嵌合し得るようになっている。
【００２６】
ここで前記端子台１の連結係合縁１４を、連結部材１３の下部係合縁２２及び上部係合縁２４に対する本体側連結係合縁１４としている。
【００２７】
一方、図１２に示すように、上段に配置される端子台１の端子筺体２には、その複数の接続座４に長尺状の導電足杆１１’，１１’を備えた端子金具３’が夫々装着され、連結状態において該導電足杆１１’，１１’の下端が、下段に配設される端子台１の下面から突出された導電足杆１１，１１の下端と同一高さ位置となるように設けられる。この導電足杆１１，１１及び導電足杆１１’，１１’の各下端をピン端子１１ｂ，１１ｂ及びピン端子１１ｂ’，１１ｂ’，としてプリント基板ｐのスルホールに挿入することにより導電路との電気的接続を可能としている。
【００２８】
かかる構成からなる連結部材１３を介して複数の端子台１を連結するには、下段に配置される端子台１の本体側連結係合縁１４の一箇所もしくは複数箇所に連結部材１３の下部係合縁２２を係合させる。この時、本体側連結係合縁１４の係合溝１５もしくは係合突起１６に対して、連結部材１３の下部係合縁２２の係合突起２０もしくは係合溝２１を選択的に係合させるようにする。
【００２９】
次いで、この連結部材１３の上部に、上段に配置される端子台１の端子筺体２を乗載し、その端子金具３’の導電足杆１１’，１１’を連結部材１３の底板１８に形成した挿通孔１９，１９に挿通させて下方に突出させるとともに、前記連結部材１３の上部係合縁２４を、上段の端子台１の本体側連結係合縁１４に係合させる。即ち、この係合操作は、上段に配置される端子台１の本体側連結係合縁１４の係合溝１５に連結部材１３の上部係合縁２４の係合突起２３を係合させることにより行なわれる。
【００３０】
これにより、図１２に示すように、二個の端子台１，１が前後及び上下に位置をずらして上下二段に亘って連結され、多段端子台が構成されることとなる。
【００３１】
また、三段以上の多段端子台を構成する場合には、上記のように連結部材１３を介して下段の端子台１と上段の端子台１とを順次連結すればよい。
【００３２】
かかる構成にあって、端子筺体２の背面下縁の全体もしくは部分的に上下方向の係合溝１５と係合突起１６とをその長手方向に沿って互い違い状に連設することにより本体側連結係合縁１４を設け、端子筺体２に等間隔で列設された複数の接続座４に装着される各端子金具３の背面に対応する位置と、各端子金具３の背面の中間に対応する位置の、いずれか一方に前記本体側連結係合縁１４の係合溝１５を配置し、他方に前記本体側連結係合縁１４の係合突起１６を配置してあることにより、下段に配置される端子台１の、本体側連結係合縁１４の係合溝１５に連結部材１３の係合突起２０を係合させた場合と、本体側連結係合縁１４の係合突起１６に連結部材１３の係合溝２１を係合させた場合とでは、連結状態において、図９（イ），（ロ）に示すように、上下の端子台１，１の各端子金具３，３’が、前後方向で一致する状態と、前後方向で互い違い状になる状態とが選択的に得られる。そして、このように上下の端子台１，１を、各端子金具３，３’が前後方向で一致する状態で連結すれば、同一系統の配線の視認が容易となる利点があり、また、各端子金具３，３’が前後方向で互い違い状になる状態で連結すれば、各端子金具３，３’に対する電線の結線作業が容易となる利点があり、この異なる配線態様に対応し得る二形態の連結状態を必要に応じて選択することができる。
【００３３】
尚、上記のように上下の端子台１，１を異なる二形態で連結できるようにする必要がない場合には、本体側連結係合縁１４を、係合溝１５と係合突起１６とを互い違い状に連設して設ける構成に代えて、単一の係合溝１５もしくは係合突起１６を端子筺体２の背面下縁の一箇所もしくは複数箇所に設けることによって本体側連結係合縁１４を構成する一方、
連結部材１３の前面下縁に、前記本体側連結係合縁１４の係合溝１５に係合可能な係合突起２０を形成するか、もしくは本体側連結係合縁１４の係合突起１６に係合可能な係合溝２１を形成することにより下部係合縁２２を設けるとともに、連結部材１３の背面上縁に、前記本体側連結係合縁１４の係合溝１５に係合可能な係合突起２３を上方突成するか、もしくは前記本体側連結係合縁１４の係合突起１６に係合可能な係合溝を備えた係合突起２３を上方突成することにより上部係合縁２４を設けて、
該連結部材１３の下部係合縁２２を下段に配置される端子台１の本体側連結係合縁１４に係合し、かつ、該連結部材１３の上部に、上段に配置される端子台１の端子筺体２を乗載するとともに、該上段の端子台１の本体側連結係合縁１４に前記連結部材１３の上部係合縁２４を係合することにより、複数の端子台１を前後及び上下に位置をずらして複数段に亘って連結するようにしてもよい。
【００３４】
また、多段端子台を構成する複数の端子台１は、その各端子筺体２の側断面形状が必ずしも同一形状である必要はなく、異なる形状であっても上記構成によって連結が可能である。
【００３５】
【発明の効果】
本発明にあって、端子台１の端子筺体２の背面下縁に連結係合縁１４を設け、該連結係合縁１４に係合される下部係合縁２２と上部係合縁２４とを備えた連結部材１３を介して、複数の端子台１を、前後及び上下に位置をずらして複数段に亘って連結することによって多段端子台として使用し得るようにした構成にあっては、端子台１を単一段構造のものとして、それ自体で用いることができるとともに、これを連結することにより多段端子台を随意に構成でき、さらには従来のように、多段端子台用の端子筺体を一体成形するための複雑な構造の金型を製作する必要がなく、単一段の端子台１の端子筺体２を一体成形するための簡単な構造の金型を製作すればよいため、製造が容易であり、その製造コストを低減させることができる。
【００３６】
また、各端子台１を構成する端子筺体２の側断面形状を同一形状とすれば、長尺に成形した端子筺体２を所定の長さに切断して複数の端子筺体２として用いることができるので、一種類の成形用金型を製作すればよく、しかも該金型は、複数の接続座４を一方向に列設してなる単一段の端子筺体２を成形するための簡単な構造の金型でよいため、その製造コストをさらに低減させ得る。
【００３７】
さらに、各端子筺体２に設けた本体側連結係合縁１４と、連結部材１３に設けた下部係合縁２２及び上部係合縁２４との係合によって複数の端子台１を連結し得るので、その連結作業を容易かつ迅速に行なうことができる。
【００３８】
また、複数の端子台１を連結して構成した多段端子台にあって、上下の端子台１，１の各端子金具３，３’が、前後方向で一致する状態と、前後方向で互い違い状になる状態とを選択し得るようにした構成にあっては、異なる配線態様に応じて二形態の連結状態を実現し得る等の優れた効果がある。
【図面の簡単な説明】
【図１】本発明にかかる端子台の平面図である。
【図２】同上の端子台の縦断側面図である。
【図３】同上の端子台の背面図である。
【図４】同上の端子台の背面側の斜視図である。
【図５】連結係合縁１４の配置位置とその断面形状を示す横断底面図である。（イは図２におけるＡ−Ａ断面図である。）
【図６】連結部材１３の側面図である。
【図７】連結部材１３の平面図である。
【図８】連結部材１３の正面図である。
【図９】本発明にかかる多段端子台の平面図である。
【図１０】同上の多段端子台の背面側の分解斜視図である。
【図１１】同上の多段端子台の横断底面図である。
【図１２】同上の多段端子台の縦断側面図である。（図１１におけるＢ−Ｂ断面図である。）
【符号の説明】
１  端子台
２  端子筺体
３，３’端子金具
４  接続座
１１，１１’導電足杆
１３  連結部材
１４  連結係合縁（本体側連結係合縁）
１５  係合溝
１６  係合突起
２０  係合突起
２１  係合溝
２２  下部係合縁
２３  係合突起
２４  上部係合縁
【図１】
0003751696.tif 000002
【図２】
0003751696.tif 000003
【図３】
0003751696.tif 000004
【図４】
0003751696.tif 000005
【図５】
0003751696.tif 000006
【図６】
0003751696.tif 000007
【図７】
0003751696.tif 000008
【図８】
0003751696.tif 000009
【図９】
0003751696.tif 000010
【図１０】
0003751696.tif 000011
【図１１】
0003751696.tif 000012
【図１２】
0003751696.tif 000013